(57)【要約】【課題】  噴射剤として少量の液化ガスと圧縮ガスを含有することで、油性基材を多く配合した原液でも泡質のよいフォームを形成することができ、圧縮ガスを高濃度に配合でき、さらに引火性が低くすることができ、揮発性有機化合物（ＶＯＣ）の排出量を削減できる発泡性エアゾール組成物を提供することを目的とする。【解決手段】  油性基材と界面活性剤とを含有する原液と、液化ガスと圧縮ガスを含有する噴射剤と、を具備する発泡性エアゾール組成物であって、前記油性基材が原液中に５０〜９９質量％含有し、前記液化ガスが発泡性エアゾール組成物中に０．０５〜８質量％封入されていることを特徴とする発泡性エアゾール組成物により解決することができた。【選択図】図１
2014062208.tif 000002
【特許請求の範囲】
【請求項１】
油性基材と界面活性剤とを含有する原液と、
液化ガスと圧縮ガスとを含有する噴射剤と、を具備する発泡性エアゾール組成物であって、
前記油性基材が前記原液中に５０〜９９質量％含有され、
前記液化ガスが発泡性エアゾール組成物中に０．０５〜８質量％封入されていることを特徴とする発泡性エアゾール組成物。
【請求項２】
前記圧縮ガスが溶解性圧縮ガスであることを特徴とする請求項１記載の発泡性エアゾール組成物。
【請求項３】
前記発泡性エアゾール組成物の液相中に飽和溶解した前記圧縮ガスの濃度が、２５℃において７，０００〜３０，０００ｐｐｍであることを特徴とする請求項１又は請求項２に記載の発泡性エアゾール組成物。
【請求項４】
封入された前記液化ガスと前記圧縮ガスとの質量比が、前記液化ガス／前記圧縮ガス＝１／９９〜７５／２５であることを特徴とする請求項１から請求項３のいずれかに記載の発泡性エアゾール組成物。
【請求項５】
請求項１から請求項４のいずれかに記載の発泡性エアゾール組成物を、前記発泡性エアゾール組成物を吐出する吐出部材を具備するエアゾール容器に充填した発泡性エアゾール製品であって、
前記エアゾール容器の吐出通路の一部に、前記吐出通路へ気体を導入する気体導入孔を設けられていることを特徴とする発泡性エアゾール製品。
【請求項６】
前記気体導入孔が前記吐出部材に設けられており、吐出される請求項１から請求項４のいずれかに記載の発泡性エアゾール組成物の流れにより周囲の空気が前記気体導入孔を通じて吐出通路内に導入されることを特徴とする請求項５に記載のエアゾール製品。
【発明の詳細な説明】
【技術分野】
【０００１】
本発明は、発泡性のエアゾール組成物に関する。さらに詳しくは、油性基材を含みながらも泡質が良好なフォームを形成し、火気に対し安全性の高いエアゾール組成物に関する。
【０００２】
従来、クレンジングオイル化粧料などトイレタリーの用途で、油性基材を多く含有するエアゾール組成物などが知られており、また、噴射剤として少量の液化ガスしか含有しないエアゾール組成物などが知られている。
【０００３】
具体的には、特許文献１には、油脂と特定の界面活性剤を含有した油状泡沫性エアゾール用組成物が開示されている。
【０００４】
また、特許文献２には、（Ａ）二酸化炭素、（Ｂ）炭素数が３〜５の炭化水素から選ばれる混合物であり、３５℃における蒸気圧が０．１ＭＰａ以上０．５ＭＰａ未満の飽和炭化水素が７０〜１００質量％含まれる炭化水素混合物 ０．１〜３質量％、（Ｃ）界面活性剤 ０．１〜２５質量％を含有する液体及び気体を含む組成物であって、（Ａ）と（Ｂ）との質量比が３５：６５〜９５：５であり、耐圧容器内に内圧が２５℃で０．７０ＭＰａ未満となるように封入してなる泡沫状皮膚塗布剤が開示されている。
【先行技術文献】
【特許文献】
【０００５】
【特許文献１】国際公開２００３／０３５０１５
【特許文献２】特開２００９−２６９９１４号
【発明の概要】
【発明が解決しようとする課題】
【０００６】
しかしながら、特許文献１のエアゾール組成物は、吐出物を発泡させるためにエアゾール組成物中に液化ガスを少なくとも１０重量％配合している（実施例１−１等）。そのため、引火性が高く、火気などが近くにある使用状況によっては吐出したフォームに引火して高さの高い火炎を生ずる危険性がある。
【０００７】
また、特許文献２の泡沫状皮膚塗布剤は、原液中に界面活性剤と、多量の水を含む水性原液を使用しているため少量の液化ガスと炭酸ガスでも発泡させることができる。しかし、水を多量に含む水性原液と水に溶解しない液化石油ガスを含有しているため、蒸気圧は液化石油ガスと同程度となり、一方で、エアゾール製品は高圧ガス保安法により、３５℃で蒸気圧が０．８ＭＰａ未満にしなければならないため、炭酸ガスを高濃度に配合することができず、炭酸ガスの効果が得られにくい。
【０００８】
そこで、本発明は、噴射剤として少量の液化ガスと圧縮ガスを含有することで、油分を多く配合した原液でも泡質のよいフォームを形成することができ、圧縮ガスを高濃度に配合でき、さらに引火性を低くすることができ、揮発性有機化合物（ＶＯＣ）の排出量を削減できる発泡性エアゾール組成物を提供することを目的とする。
【課題を解決するための手段】
【０００９】
（１）すなわち、本発明の発泡性エアゾール組成物は、油性基材と界面活性剤とを含有する原液と、液化ガスと圧縮ガスを含有する噴射剤と、を具備する発泡性エアゾール組成物であって、前記油性基材が原液中に５０〜９９質量％含有され、前記液化ガスが発泡性エアゾール組成物中に０．０５〜８質量％封入されていることを特徴とする発泡性エアゾール組成物である。
【００１０】
（２）前記圧縮ガスが溶解性圧縮ガスであることを特徴とする前記（１）に記載の発泡性エアゾール組成物である。
【００１１】
（３）前記発泡性エアゾール組成物の液相中に溶解した前記圧縮ガスの濃度が、２５℃において７，０００〜３０，０００ｐｐｍであることを特徴とする前記（１）又は前記（２）に記載の発泡性エアゾール組成物である。
【００１２】
（４）封入された前記液化ガスと前記圧縮ガスとの質量比が、前記液化ガス／前記圧縮ガス＝１／９９〜７５／２５であることを特徴とする前記（１）から前記（３）のいずれかに記載の発泡性エアゾール組成物。
【００１３】
（５）前記（１）から前記（４）のいずれかに記載の発泡性エアゾール組成物を、前記発泡性エアゾール組成物を吐出する吐出部材を具備するエアゾール容器に充填したエアゾール製品であって、前記エアゾール容器の吐出通路の一部に、前記吐出通路へ気体を導入する気体導入孔を設けられていることを特徴とする発泡性エアゾール製品である。
【００１４】
（６）前記気体導入孔が前記吐出部材に設けられており、吐出される前記（１）から前記（４）のいずれかに記載の発泡性エアゾール組成物の流れにより周囲の空気が前記気体導入孔を通じて吐出通路内に導入されることを特徴とする前記（５）に記載の発泡性エアゾール製品。
【発明の効果】
【００１５】
以上、本発明によれば、噴射剤として少量の液化ガスと圧縮ガスを含有することで、油分を多く配合した原液でも泡質のよいフォームを形成することができ、圧縮ガスを高濃度に配合でき、さらに引火性を低くすることができ、揮発性有機化合物（ＶＯＣ）の排出量を削減できる。
【図面の簡単な説明】
【００１６】
【図１】本発明の一の実施例に係るエアゾール製品の主要部における側断面図である。
【図２】本発明の他の実施例に係るエアゾール製品の主要部における側断面図である。
【発明を実施するための形態】
【００１７】
以下、本発明の発泡性エアゾール組成物に関する実施形態について詳しく説明する。なお、説明中における範囲を示す表記は、上限と下限を含有するものである。
【００１８】
本発明に係る発泡性エアゾール組成物は、油性基材と界面活性剤とを含有する原液と、液化ガスと圧縮ガスを含有する噴射剤とを、具備する発泡性エアゾールであって、油性基材と液化ガスを所定量含有する発泡性エアゾール組成物である。本発明の発泡性エアゾール組成物は、圧縮ガスが、封入されたときに、その一部は原液と液化ガスの液体に溶解して液相に存在し、残りは原液と液化ガスに溶解されず気相に存在する。
【００１９】
本発明に用いられる油性基材は、原液の主溶媒であり、皮膚に潤いや艶を与える、クレンジング効果を得る、圧縮ガスや液化ガスを効率よく溶解させるなどの目的で含有する。
【００２０】
油性基材としては、エステル油、油脂、炭化水素油、シリコーンオイル、液状の高級脂肪酸、液状の高級アルコールなどの２５℃において液状である液状油、固形の高級脂肪酸、固形の高級アルコールや、ロウなどの２５℃において固形である固形油などが好ましい。なお、固形油を用いる場合は、液状油に溶解させて液状にして用いることが好ましい。また、これらの中から、単独でまたは適宜２種以上を組み合わせて用いることができる。
【００２１】
エステル油としては、例えば、ミリスチン酸イソプロピル、ミリスチン酸ミリスチル、オレイン酸デシル、ラウリン酸イソステアリル、ミリスチン酸イソセチル、ミリスチン酸イソステアリル、ミリスチン酸オクチルドデシル、パルミチン酸オクチル、ステアリン酸オクチル、オレイン酸オクチルドデシル、イソステアリン酸エチル、イソオクタン酸セチル、ジオクタン酸エチレングリコール、ジオレイン酸エチレングリコール、ジカプリル酸プロピレングリコール、ジオレイン酸プロピレングリコール、トリカプリル酸グリセリル、トリ（カプリル・カプリン酸）グリセリル、トリイソステアリン酸グリセリル、トリ２−エチルへキサン酸トリメチロールプロパン、ネオペンタン酸オクチルドデシル、ジメチルオクタン酸ヘキシルデシル、乳酸セチル、クエン酸トリエチル、コハク酸ジオクチル、アジピン酸ジイソプロピル、コハク酸ジエトキシエチルなどが好ましい。
【００２２】
油脂の具体例としては、例えば、アボガド油、ツバキ油、タートル油、マカデミアナッツ油、トウモロコシ油、ミンク油、オリーブ油、ナタネ油、ゴマ油、ヒマシ油、アマニ油、サフラワー油、ホホバ油、麦芽油、ヤシ油、パーム油、米サラダ油などが好ましい。
炭化水素油の具体例としては、例えば、ノルマルペンタン、イソペンタン、ノルマルヘキサン、イソヘキサン、ケロシン、流動パラフィン、スクワレン、スクワラン、イソパラフィンなどが好ましい。
【００２３】
炭化水素油の具体例としては、例えば、ノルマルペンタン、イソペンタン、ノルマルヘキサン、イソヘキサン、ケロシン、流動パラフィン、スクワレン、スクワラン、、イソパラフィンなどが好ましい。
【００２４】
シリコーンオイルの具体例としては、例えば、メチルポリシロキサン、メチルフェニルポリシロキサン、メチルハイドロジェンポリシロキサン、メチルポリシクロシロキサンなどが好ましい。
【００２５】
液状の高級脂肪酸の具体例としては、例えば、オレイン酸、イソステアリン酸、リノール酸、リノレイン酸などが好ましい。
【００２６】
液状の高級アルコールの具体例としては、例えば、オレイルアルコール、イソステアリルアルコールなどが好ましい。
【００２７】
高級脂肪酸の具体例としては、例えば、ラウリン酸、ミリスチン酸、パルミチン酸、ステアリン酸、ベヘニン酸などが好ましい。
【００２８】
高級アルコールの具体例としては、例えば、ラウリルアルコール、セチルアルコール、ステアリルアルコール、ベヘニルアルコール、ミリスチルアルコールなどの直鎖アルコール、ラノリンアルコール、ヘキシルドデカノール、セトステアリルアルコール、オクチルドデカノールなどの分枝鎖アルコールなどが好ましい。
【００２９】
ロウの具体例としては、例えば、ミツロウ、ラノリン、カンデリラロウ、カルナウバロウなどが好ましい。
【００３０】
油性基材の含有量は、原液中５０〜９９質量％であることが好ましく、６０〜９８質量％であることがさらに好ましく、７０〜９７質量％であることが最も好ましい。油性基材の含有量が５０質量％よりも少ない場合は、圧縮ガスの溶解量が少なくなり、後述する圧縮ガスの効果が得られにくくなる傾向がある。また、９９質量％よりも多い場合は他の成分を含有しにくくなる傾向がある。
【００３１】
本発明に用いられる界面活性剤は、吐出物を発泡させるという目的で含有する。
【００３２】
界面活性剤としては、ノニオン性界面活性剤、アニオン性界面活性剤、両性界面活性剤、カチオン性界面活性剤、シリコーン系界面活性剤、天然系界面活性剤、アミノ酸系界面活性剤などが好ましい。
【００３３】
ノニオン性界面活性剤としては、例えば、モノオレイン酸ジグリセリル、モノステアリン酸ジグリセリル、モノステアリン酸ジグリセリル、モノラウリン酸ジグリセリル、モノカプリン酸ジグリセリル、モノラウリン酸ヘキサグリセリル、モノミリスチン酸ヘキサグリセリル、モノラウリン酸ペンタグリセリル、モノミリスチン酸ペンタグリセリル、モノオレイン酸ペンタグリセリル、モノステアリン酸ペンタグリセリル、ヘキサステアリン酸ペンタグリセリル、トリミリスチン酸ペンタグリセリル、トリオレイン酸ペンタグリセリル、モノラウリン酸デカグルセリル、モノミリスチン酸デカグリセリル、モノステアリン酸デカグリセリル、モノイソステアリン酸デカグリセリル、モノオレイン酸デカグリセリル、モノリノール酸デカグリセリル、ペンタステアリン酸デカグリセリル、ペンタオレイン酸デカグリセリル、などのポリグリセリン脂肪酸エステル；ＰＯＥ・ＰＯＰセチルエーテル、ＰＯＥ・ＰＯＰデシルテトラデシルエーテルなどのポリオキシエチレンポリオキシプロピレンアルキルエーテル；ＰＯＥセチルエーテル、ＰＯＥステアリルエーテル、ＰＯＥオレイルエーテル、ＰＯＥラウリルエーテル、ＰＯＥベヘニルエーテル、ＰＯＥオクチルドデシルエーテル、ＰＯＥイソセチルエーテル、ＰＯＥイソステアリルエーテルなどのポリオキシエチレンアルキルエーテル；モノラウリン酸ポリエチレングリコール、モノステアリン酸ポリエチレングリコールなどのポリエチレングリコール脂肪酸エステル；ＰＯＥ硬化ヒマシ油などのポリオキシエチレン硬化ヒマシ油；モノステアリン酸ＰＯＥグリセリル、モノオレイン酸ＰＯＥグリセリルなどのポリオキシエチレングリセリン脂肪酸エステル；ステアリン酸ＰＯＥセチルエーテル、イソステアリン酸ＰＯＥラウリルエーテルなどのポリオキシエチレンアルキルエーテル脂肪酸エステル；モノヤシ油脂肪酸ＰＯＥソルビタン、モノステアリン酸ＰＯＥソルビタン、モノオレイン酸ＰＯＥソルビタンなどのポリオキシエチレンソルビタン脂肪酸エステル；モノラウリン酸ＰＯＥソルビット、テトラステアリン酸ＰＯＥソルビット、テトラオレイン酸ＰＯＥソルビットなどのポリオキシエチレンソルビット脂肪酸エステル；ＰＯＥラノリンアルコールなどのポリオキシエチレンラノリンアルコール；ヤシ油脂肪酸Ｎ−メチルエタノールアミドなどのアルキルアルカノールアミドなどのアルキルアルカノール型；などが好ましい。
【００３４】
アニオン性界面活性剤としては、例えば、ヤシ油脂肪酸カリウム、ミリスチン酸カリウム、ラウリン酸カリウムなどの脂肪酸石鹸；ラウリル硫酸カリウム、ラウリル硫酸ナトリウム、ラウリル硫酸トリエタノールアミン、ミリスチル硫酸ナトリウムなどのアルキル硫酸塩；ポリオキシエチレンラウリルエーテル硫酸ナトリウム、ポリオキシエチレンラウリルエーテル硫酸トリエタノールアミンなどのポリオキシエチレンアルキルエーテル硫酸塩；ラウリルリン酸などのアルキルリン酸塩；ポリオキシエチレンラウリルエーテルリン酸などのポリオキシエチレンアルキルエーテルリン酸塩；アシルメチルタウリン酸；ラウリルスルホ酢酸ナトリウムなどのスルホン酸塩；などが好ましい。
【００３５】
両性界面活性剤としては、例えば、ラウリルジメチルアミノ酢酸ベタイン（ラウリルベタイン）、ステアリルベタイン、ラウリン酸アミドプロピルベタイン、ラウリルヒドロキシスルホベタイン、ステアリルジメチルアミノ酢酸ベタイン、ドデシルアミノメチルジメチルスルホプロピルベタイン、オクタデシルアミノメチルジメチルスルホプロピルベタインなどのアルキルベタイン、ヤシ酸アミドプロピルベタイン、ヤシ油脂肪酸アミドプロピルジメチルアミノ酢酸ベタイン（コカミドプロピルベタイン）、コカミドプロピルヒドロキシスルタインなどの脂肪酸アミドプロピルベタインなどのベタイン型；２−アルキル−Ｎ−カルボキシメチル−Ｎ−ヒドロキシエチルイミダゾリニウムベタイン（ココアンホ酢酸）などのアルキルイミダゾール型；ラウリルジメチルアミンＮ−オキシド、オレイルジメチルアミンＮ−オキシドなどのアミンオキシド型；などが好ましい。
【００３６】
カチオン性界面活性剤としては、例えば、塩化セチルトリメチルアンモニウム、塩化ステアリルトリメチルアンモニウム、塩化ベヘニルトリメチルアンモニウム、塩化ラウリルトリメチルアンモニウムなどのアルキルアンモニウム塩；アルキルベンジルアンモニウム塩；ステアリルアミンアセテート；ポリオキシエチレンラウリルアミン、ポリオキシエチレンステアリルアミンなどのポリオキシエチレンアルキルアミン；などが好ましい。
【００３７】
シリコーン系界面活性剤としては、例えば、ポリオキシエチレン・メチルポリシロキサン共重合体、ポリオキシプロピレン・メチルポリシロキサン共重合体、ポリ（オキシエチレン・オキシプロピレン）・メチルポリシロキサン共重合体などが好ましい。
【００３８】
天然系界面活性剤としては、例えば、サーファクチンナトリウム、シクロデキストリン、水添酵素大豆レシチンなどが好ましい。
【００３９】
アミノ酸系界面活性剤としては、例えば、Ｎ−ヤシ油脂肪酸アシル−Ｌ−グルタミン酸トリエタノールアミン、Ｎ−ヤシ油脂肪酸アシル−Ｌ−グルタミン酸カリウム、Ｎ−ヤシ油脂肪酸アシル−Ｌ−グルタミン酸ナトリウム、Ｎ−ラウロイル−Ｌ−グルタミン酸トリエタノールアミン、Ｎ−ラウロイル−Ｌ−グルタミン酸カリウム、Ｎ−ラウロイル−Ｌ−グルタミン酸ナトリウム、Ｎ−ミリストイル−Ｌ−グルタミン酸カリウム、Ｎ−ミリストイル−Ｌ−グルタミン酸ナトリウムおよびＮ−ステアロイル−Ｌ−グルタミン酸ナトリウムなどのＮ−アシルグルタミン酸塩；Ｎ−ヤシ油脂肪酸アシル−Ｌ−グルタミン酸、Ｎ−ラウロイル−Ｌ−グルタミン酸、Ｎ−ステアロイル−Ｌ−グルタミン酸などのＮ−アシルグルタミン酸；Ｎ−ヤシ油脂肪酸アシルグリシンカリウム、Ｎ−ヤシ油脂肪酸アシルグリシンナトリウムなどのＮ−アシルグリシン塩；Ｎ−ヤシ油脂肪酸アシル−ＤＬ−アラニントリエタノールアミンなどのＮ−アシルアラニン塩；などが好ましい。
【００４０】
界面活性剤の含有量は、原液中１〜２０質量％、好ましくは２〜１５質量％である。界面活性剤の含有量が１質量％よりも少ない場合は、吐出物が発泡しにくくなる傾向がある。また、２０質量％よりも多い場合は吐出面に残りやすく、使用感が低下する傾向がある。
【００４１】
原液には、油性基材と界面活性剤を必須の成分とするが、発泡性エアゾール組成物をエアゾール容器に充填したエアゾール製品の性能や目的などに応じて、有効成分、水、アルコール、粘度調整剤、粉体などを含有することができる。
【００４２】
有効成分としては、例えば、パラメトキシケイ皮酸エチルヘキシル、パラメトキシケイ皮酸イソプロピル、パラメトキシケイ皮酸オクチル、ジメトキシベンジリデンジオキソイミダゾリジンプロピオン酸オクチル、ジエチルアミノヒドロキシベンゾイル安息香酸ヘキシル、t一ブチルメトキシジベンゾイルメタン、エチルヘキシルトリアゾン、オクトクレリン、オキシベンゾン、ヒドロキシベンゾフェノンスルホン酸、ジヒドロキシベンゾフェノンスルホン酸ナトリウム、ジヒドロキシベンゾフェノン、パラアミノ安息香酸などの紫外線吸収剤；Ｎ，Ｎ‐ジエチル‐ｍ‐トルアミド（ディート）、カプリル酸ジエチルアミド、ハーブエキスなどの害虫忌避剤；α−トコフェロール、ジブチルヒドロキシトルエンなどの酸化防止剤；レチノール、ｄｌ−α−トコフェロールなどのビタミン類；アラントイン、グリチルレチン酸、グリチルリチン酸ジカリウム、アズレンなどの抗炎症剤；オキシコナゾール、クロトリマゾール、スルコナゾール、ビフォナゾール、ミコナゾール、イソコナゾール、エコナゾール、チオコナゾール、ブテナフィン、およびこれらの塩酸塩、硝酸塩、酢酸塩などの抗真菌剤；サリチル酸メチル、インドメタシン、ピロキシカム、フェルビナク、ケトプロフェンなどの消炎鎮痛剤；塩酸ジブカイン、塩酸テトラカイン、リドカイン、塩酸リドカインなどの局所麻酔剤；ジフェンヒドラミン、塩酸ジフェンヒドラミン、マレイン酸クロルフェニラミンなどの抗ヒスタミン剤；ｌ‐メントール、カンフル、ミントオイルなどの清涼剤；緑茶エキス、柿タンニン、銀、ポリフェノールなどの消臭成分；パラオキシ安息香酸エステル、安息香酸ナトリウム、ソルビン酸カリウム、フェノキシエタノール、塩化ベンザルコニウム、塩化ベンゼトニウム、塩化クロルヘキシジン、感光素、パラクロルメタクレゾールなどの殺菌消毒剤；香料；などが好ましい。
【００４３】
有効成分を含有する場合の含有量は、原液中それぞれ０．０１〜２０質量％であることが好ましく、さらには０．１〜１５質量％であることが好ましい。有効成分の含有量が０．０１質量％よりも少ない場合は、有効成分を含有する効果が得られにくい傾向がある。また、２０質量％よりも多い場合は有効成分によっては人体に悪影響を与える可能性がある。
【００４４】
水は、油性基材に溶解しない有効成分の溶媒や、吐出物の発泡性を向上させるなどの目的で用いられる。
【００４５】
水は、蒸留、濾過、イオン交換などの手法で精製された水である精製水、さらにその精製水を紫外線照射などにより滅菌、又は、殺菌された滅菌精製水、又は、殺菌精製水、また、一部精製を簡略化した工業用精製水、或いは、ミネラル分が含まれ硬度が高い海水、海洋深層水などが好ましい。
【００４６】
水を含有する場合の含有量は、原液中０．１〜３０質量％であることが好ましく、さらには０．５〜２５質量％であることが好ましい。水の含有量が０．１質量％よりも少ない場合は、水を含有する効果が得られにくい傾向がある。また３０質量％よりも多い場合は後述する、圧縮ガスの溶解量が少なくなる傾向がある。
【００４７】
アルコール類は、油性基材や水に溶解しにくい有効成分の溶媒や吐出物の発泡状態を調節するという目的で含有する。
【００４８】
アルコール類としては、例えば、エタノール、イソプロパノールなどの１価アルコールや、プロピレングリコール、１，３−ブチレングリコール、ヘキシレングリコールなどの２価アルコール、グリセリンなどの３価アルコールが好ましい。また、これらの中から、単独でまたは適宜２種以上を組み合わせて用いることができる。
【００４９】
アルコール類を含有する場合の含有量は、原液中０．１〜２０質量％であることが好ましく、さらには０．５〜１５質量％であることが好ましい。アルコール類の含有量が０．１質量％よりも少ない場合は、アルコール類を含有する効果が得られにくい傾向がある。また、２０質量％よりも多い場合は発泡しにくくなる傾向がある。
【００５０】
粘度調整剤は、原液の粘度を調整し、吐出物の発泡状態を調整するなどの目的で用いられる。
【００５１】
粘度調整剤としては、例えば、ヒドロキシエチルセルロース、ヒドロキシプロピルセルロース、ヒドロキシプロピルメチルセルロース、カルボキシメチルセルロースナトリウムなどのセルロース系高分子、キサンタンガム、カラギーナン、アラビアゴム、トラガントゴム、カチオン化グアガム、グアガム、ジェランガム、ローカストビーンガムなどのガム質、デキストラン、カルボキシメチルデキストランナトリウム、デキストリン、ペクチン、デンプン、トウモロコシデンプン、コムギデンプン、アルギン酸ナトリウム、変性ポテトスターチ、ヒアルロン酸、ヒアルロン酸ナトリウム、ポリビニルアルコール、ポリビニルピロリドン、カルボキシビニルポリマー、（ベヘン酸／エイコンサン二酸）グリセリルなどが好ましい。また、これらの中から、単独でまたは適宜２種以上を組み合わせて用いることができる。
【００５２】
粘度調整剤を含有する場合の含有量は、原液中０．０５〜５質量％であることが好ましく、さらには０．１〜３質量％であることが好ましい。粘度調整剤の含有量が０．０５質量％よりも少ない場合は、粘度調整剤を含有する効果が得られにくい傾向がある。また、５質量％よりも多い場合は、べたつきやすくなる傾向がある。
【００５３】
粉体としては、例えば、タルク、カオリン、雲母、炭酸マグネシウム、炭酸カルシウム、ケイ酸亜鉛、ケイ酸マグネシウム、ケイ酸アルミニウム、ケイ酸カルシウム、シリカ、ゼオライト、セラミックパウダー、炭粉末、ナイロンパウダー、シルクパウダー、ウレタンパウダー、シリコーンパウダー、ポリエチレンパウダーなどが好ましい。また、これらの中から、単独でまたは適宜２種以上を組み合わせて用いることができる。
【００５４】
粉体を含有する場合の含有量は、原液中０．０５〜１０質量％であることが好ましく、さらには０．１〜５質量％であることが好ましい。粉体の含有量が０．０５質量％よりも少ない場合は、粉体を含有する効果が得られにくい傾向がある。また、１０質量％よりも多い場合は、エアゾール容器内の吐出通路内で目詰まりを起こしやすい傾向がある。
【００５５】
原液は、油性基材及び界面活性剤に、必要に応じて有効成分などを添加して混合し、溶解または分散させることにより調製することができる。
【００５６】
原液の含有量は、発泡性エアゾール組成物中８５〜９９質量％であることが好ましく、さらには９０〜９８質量％であることが好ましい。原液の含有量が８５質量％よりも少ない場合は、泡が粗くなりやすく泡質が低下しやすくなる傾向がある。また、含有量が９９質量％よりも多い場合は吐出物が発泡しにくくなる傾向がある。
【００５７】
本発明で用いられる液化ガスは、２５℃においてエアゾール容器内では液化した液体と気化ガスとからなり、エアゾール容器から外部に吐出されると液体の液化ガスが気化して原液を発泡させ、泡の内部に気体を含有してフォームを形成する、さらに泡の保持性を向上させるなどの目的で用いられる。
【００５８】
液化ガスとしては、例えば、プロパン、ノルマルブタン、イソブタンおよびこれらの混合物である液化石油ガス、トランス−１，３，３，３−テトラフルオロプロパ−１−エン、トランス−２，３，３，３−テトラフルオロプロパ−１−エンなどのハイドロフルオロオレフィン、ジメチルエーテル、およびこれらの混合物などが好ましい。なかでも、少ない含有量で発泡性を向上させることができる点から２５℃における蒸気圧が０．５ＭＰａ以上である液化ガスを用いることが好ましく、特にプロパンを含有することが好ましい。
【００５９】
液化ガスは、発泡性エアゾール組成物中に０．０５〜８質量％封入されることが好ましく、そして０．０７〜７質量％封入されることがさらに好ましく、０．１〜５質量％封入されることが最も好ましい。液化ガスが発泡性エアゾール組成物中に０．０５質量％よりも少ない量しか封入されない場合は、吐出物がフォームを形成しにくく、フォームを形成したとしてもすぐに液状化する傾向がある。また、発泡性エアゾール組成物中に８質量％よりも多く封入される場合は圧縮ガスを充填できる量が少なくなる。さらに、吐出物が引火しやすく火気に対する安全性が低くなる傾向がある。なお、これらの含有量は気相及び液相中の液化ガスの総和である。
【００６０】
原液と液化ガスを充填したときのエアゾール容器内の圧力（原液に液化ガスの一部が存する液化ガス混合物の２５℃における蒸気圧）が０．３ＭＰａ以下であることが好ましく、さらには０．２５ＭＰａ以下であることが好ましい。液化ガス混合物の２５℃における蒸気圧を０．３ＭＰａ以下とすることで、圧縮ガスの含有量を多くすることができ、前述の圧縮ガスの効果が効率的に得ることができる。
【００６１】
本発明で用いられる圧縮ガスは、エアゾール容器内では一部が原液および液化ガスの液体に溶解しており残りが気相に存在し、吐出物を発泡させるなどの目的で用いられる。
【００６２】
圧縮ガスとしては、例えば、二酸化炭素ガス、亜酸化窒素などの溶解性圧縮ガスや窒素ガス、酸素ガス、圧縮空気などの難溶解性圧縮ガスおよびこれらの混合物などが好ましい。なかでも、原液および液化ガスに溶解し効率よく吐出物を発泡させることができる点から溶解性圧縮ガスを用いることが好ましい。さらに、溶解性圧縮ガスとして二酸化炭素ガスを用いることにより、血行促進効果、クレンジング効果、マッサージ効果などを得ることができ、溶解性圧縮ガスとして亜酸化窒素ガスを用いることにより、発泡性が向上し、キメの細かい泡を得ることができる。
【００６３】
圧縮ガスは、発泡性エアゾール組成物中に０．１〜７質量％封入されることが好ましく、そして０．３〜５質量％封入されることが好ましく、１．０〜４質量％封入されることが最も好ましい。圧縮ガスが発泡性エアゾール組成物中に０．１質量％よりも少ない量しか封入されない場合は、吐出物がフォームを形成しにくい傾向があり、さらに、吐出物が引火しやすく可燃性が高くなる傾向がある。また、発泡性エアゾール組成物中に７質量％よりも多く封入される場合は発泡性エアゾール組成物の蒸気圧が３５℃で０．８ＭＰａを超える傾向があり、高圧ガス保安法に違反する可能性がある。なお、これらの含有量は気相及び液相中の圧縮ガスの総和である。
【００６４】
本発明の発泡性エアゾール組成物において、圧縮ガスが、原液および液化ガスに溶解して平衡状態にあるときの圧力が、２５℃において０．３〜０．７ＭＰａであることが好ましく、さらには０．４〜０．６５ＭＰａであることが好ましい。当該圧力が、０．３ＭＰａよりも低い場合、吐出通路を通過する流速が遅くなり、吐出通路に導入される周囲の気体が少なくなるため発泡性が不十分になる傾向がある。また、０．７ＭＰａよりも高い場合、３５℃における圧力が０．８ＭＰａを超えてしまう傾向がある。
【００６５】
本発明の発泡性エアゾール組成物では、前記液相中における圧縮ガスの濃度が、２５℃における飽和状態において７，０００〜３０，０００ｐｐｍであることが好ましく、８，０００〜２８，０００ｐｐｍであることがさらに好ましく、１０，０００〜２６，０００であることが最も好ましい。前記圧縮ガスの濃度が７，０００ｐｐｍよりも少ない場合は発泡性が弱く、圧縮ガスを配合する効果が得られにくくなる傾向がある。また、３０，０００ｐｐｍよりも多い場合は発泡するが消泡が速くなる傾向がある。なお、エアゾール製品は高圧ガス保安法により、３５℃で蒸気圧が０．８ＭＰａ未満にしなければならないため、エアゾール容器内の圧力（気相における液化ガスと圧縮ガス等の圧力の総和）は３５℃で０．８ＭＰａ未満とすることが好ましい。
【００６６】
前記液相中における圧縮ガスの濃度の算出方法について説明する。例えば、原液および液化ガスを充填したエアゾール容器内の２５℃での圧力を測定する（Ｐ１）。次いで圧縮ガスを充填して原液と液化ガスに溶解させて平衡状態とし、２５℃での圧力（Ｐ２）から圧縮ガスの分圧Ｐを求める。
Ｐ＝Ｐ２−Ｐ１
なお、充填された圧縮ガスの充填量（質量）をＡａｌｌとする。
【００６７】
そして、圧縮ガスの分子量をＭ、エアゾール容器中の気相の容量をＶ、気体定数をＲ、温度をＴとし、（Ｉ）式により平衡状態の気相中の圧縮ガスＡｇの質量を算出する。
Ｐ・Ｖ＝Ａｇ／Ｍ・Ｒ・Ｔ…（Ｉ）
次に、（Ｉ）式より算出したＡｇを用いて（ＩＩ）式により前記液相における圧縮ガスの質量ＡＬを算出する。
ＡＬ＝Ａａｌｌ−Ａｇ    …    （ＩＩ）
そして、前記液相の充填量（質量）をＷとすると、前記液相中に溶解した圧縮ガスの濃度Ｘ（ｐｐｍ）は（ＩＩＩ）式により求めることができる。
Ｘ（ｐｐｍ）＝（ＡＬ／Ｗ）×１０６     …    （ＩＩＩ）
【００６８】
なお、前記液相中に水を含有する場合、単に水に溶存する圧縮ガスだけでなく、水との反応で生成した圧縮ガスのイオン種も含めて圧縮ガスの濃度として算出される。また、前記液相中における圧縮ガスの濃度について、圧縮ガスが例えば二酸化炭素ガスのときには、各種市販の測定器具を用いて溶存する二酸化炭素ガスを測定しても良い。
【００６９】
発泡性エアゾール組成物として封入された液化ガスと圧縮ガスとの質量比は、液化ガス／圧縮ガス＝１／９９〜７５／２５であることが好ましく、２／９８〜７０／３０であることがさらに好ましい。封入される液化ガスと圧縮ガスとの質量比が７５／２５よりも小さくなる場合は、圧縮ガスを配合する効果が得られにくく、不燃性も低くなる傾向がある。また、封入される液化ガスと圧縮ガスとの質量比が１／９９よりも多くなる場合は液化ガスを配合する効果が得られず、吐出物の発泡性が悪くなる傾向がある。
【００７０】
本発明のエアゾール製品は、油性基材と界面活性剤を含んだ原液を耐圧容器に充填し、液化ガスをアンダーカップ充填した後、耐圧容器にエアゾールバルブを固着して密封し、エアゾール容器とし、前記エアゾール容器に圧縮ガスをエアゾールバルブのステムより充填することにより製造することができる。なお、油性基材と界面活性剤を含んだ原液を耐圧容器に充填し、耐圧容器にエアゾールバルブを固着して密封しエアゾール容器とした後に、前記エアゾール容器に液化ガスをエアゾールバルブのステムより充填し、次いで、圧縮ガスをエアゾールバルブのステムより充填することにより製造することもできる。
【００７１】
図１に示すように、エアゾールバルブＡとしては、耐圧容器（図示しない）本体の開口部に取り付けられるマウンティングカップ１と、マウンティングカップ１の中央内部に支持されるバルブ機構からなるものを用いることができる。バルブ機構は、開口部の外周部分が前記マウンティングカップ１の中央内部に支持される有底筒状のハウジング２を有し、ハウジング２には発泡性エアゾール組成物をハウジング２内部に導入する液体導入孔２１が穿設され、ハウジング２内部には耐圧容器の内外を連通するステム孔３を有するステム４と、ステム孔３の周囲に取り付けられるステムラバー５、およびステム４とステムラバー５とを上方方向へ付勢するスプリング６とを有し、未使用時はスプリング６によりステム４とステムラバー５とが上方へ付勢され、ステム孔３がステムラバー５によってシールされている。そして、ステム４の上部に嵌合して吐出ボタン７が設けられている。さらに、吐出ボタン７には、発泡性エアゾール組成物を吐出する吐出部材として吐出ノズル８が設けられ、液体導入孔２１、ステム孔３から続く吐出通路の終端に吐出孔８１が発泡性エアゾール組成物を外部へ吐出可能なように吐出ノズル８に円形に穿孔されている。そして、発泡性エアゾール組成物を外部へ吐出するときには、吐出ノズル８の外周側に穿孔された気体導入孔８２から発泡性エアゾール組成物を吐出する勢いで周囲の気体を吐出通路内に導入し、吐出通路内で発泡性エアゾール組成物と導入した気体とが混合して吐出されるので、吐出された発泡性エアゾール組成物は、液化ガスと圧縮ガスとを含有する噴射剤だけでなく空気も包含して泡質のよいフォームを形成することができるとともに、引火性を低くすることができ、さらには、揮発性有機化合物（ＶＯＣ）の排出量を削減することができる。
【００７２】
また、図２は別の実施例を示しており、エアゾールバルブＡにおいて基本的な構成は図１に示した実施例と共通するが、発泡性エアゾール組成物を吐出する吐出ノズル８には周囲の気体を吐出通路内に導入する孔は設けられておらず、ハウジング２に気体導入孔２２が穿設されている。このため、気体導入孔２２からエアゾール容器内部の気体を吐出通路内に導入して泡質のよいフォームを形成することができる。
【００７３】
本発明のエアゾール製品は、クレンジング剤、ヘアートリートメント剤、保湿剤などの人体用製品に好適に用いることができる。また潤滑剤、洗浄剤などの家庭用品にも用いることができる。
【実施例】
【００７４】
つぎに、本発明の発泡性エアゾール組成物を実施例に基づいてさらに詳細に説明するが、本発明はかかる実施例のみに限定されるものではない。
【００７５】
＜実施例１〜１６、比較例１〜６＞
表１に示すように、油性基材として、オリーブ油（クローダジャパン社製「クロピュアＯＬ」）、トリ（カプリル酸／カプリン酸）グリセリル（クローダジャパン社製「クロダモルＧＴＣＣ−ＬＱ」）、流動パラフィン（カネダ社製「ハイコールＫ−２３０」）を、界面活性剤として、モノラウリン酸ジグリセリル（太陽化学社製「サンソフトＱ−１２Ｄ−Ｃ」）、モノオレイン酸ジグリセリル（太陽化学社製「サンソフトＱ−１７Ｄ−Ｃ」）、カプリン酸ヘキサグリセリル（太陽化学社製「サンソフトＱ−８１Ｂ」）を用いて各原液を調製した。そして、得られた原液をアルミニウム製の耐圧容器に、表２に示すように所定割合で充填し、その後に耐圧容器にエアゾールバルブを固着する。また、エアゾールバルブを固着する際に、耐圧容器内の空気をバキュームして大気圧（０ＭＰａ（ゲージ圧））から−０．０６ＭＰａ（ゲージ圧）まで減圧した。次いで、エアゾールバルブから液化ガス、圧縮ガスの少なくとも一方を充填および混合し、発泡性エアゾール組成物を作製し、吐出部材等を取り付けることで、エアゾール製品を製造した。発泡性エアゾール組成物における各種配合量、配合割合、さらに、混合した液化ガスと圧縮ガスの比率、液相中における圧縮ガスの濃度を表２に示す。
【００７６】
【表１】
2014062208.tif 000003
【００７７】
【表２】
2014062208.tif 000004
【００７８】
そして、得られたエアゾール製品について、吐出されたフォームの物性を、フォームの状態、フォームの保持性、フォームの不燃性について評価した。また、フォームの状態、フォームの保持性については、図１に示す吐出ノズル８を用いて気体導入孔８２を有する場合と、気体導入孔８２を有さない場合とを評価した。評価方法を下記に示す。
【００７９】
＜評価方法＞
（ｉ）フォーム状態
発泡性エアゾール組成物が吐出された後に形成されたフォームについて、角が立つキメの細かい泡を形成した状態を○、粗い泡を形成した状態を△、フォームを形成せずに液状で吐出された状態を×、吐出直後に飛散した状態を××との基準で、フォームの状態を評価し、○、△の評価結果を好ましい例とした。
【００８０】
（ｉｉ）フォーム保持状態
発泡性エアゾール組成物が吐出された後に形成されたフォームについて、３０秒以上泡の状態として維持したものを○、１５秒以上３０秒未満泡の状態として維持したものを△、１５秒未満で泡が消失し液状となったものを×との基準で、フォームの保持状態を評価し、○、△の評価結果を好ましい例とした。
【００８１】
（ｉｉｉ）不燃性
発泡性エアゾール組成物が吐出された後に形成されたフォームについて、フォームに火をつけたが着火しなかったものを◎、一瞬着火したがすぐに消火したものを○、着火したが火炎の高さが５ｃｍ未満であったものを△、着火し火炎の高さが５ｃｍ以上であったものを×との基準で、フォーム不燃性を評価し、◎、○、△の評価結果を好ましい例とした。
【００８２】
前記評価方法で実施例１〜１６、比較例１〜６で得られた発泡性エアゾール組成物を用いて、吐出されたフォームの評価を行った。なお、すべてに評価項目において、△以上の評価結果を有するものが好ましい例である。各評価結果を表３に示す。
【００８３】
【表３】
2014062208.tif 000005
【００８４】
表３に示された結果から、噴射剤として少量の液化ガスと圧縮ガスを含有することで、油性基材を多く配合した原液でも泡質のよいフォームを形成することができ、圧縮ガスを高濃度に配合でき、さらに引火性が低くすることができ、揮発性有機化合物（ＶＯＣ）の排出量を削減できることが分かった。さらに、エアゾール容器の吐出通路の一部に、吐出通路へ気体を導入する気体導入孔が吐出ノズルなどに設けられていると、吐出されたフォームの状態が改善することが分かった。
【００８５】
以下、本発明に係るエアゾール組成物を用いた各種商品の処方例を示す。
【００８６】
＜処方例１  クレンジング剤＞
下記の原液を７３ｇアルミニウム製の耐圧容器に充填し、バルブを取り付け、バルブから液化石油ガス（プロパン）を１ｇ充填した。次いでバルブから炭酸ガスを２．０ｇ充填し、容器を振って炭酸ガスを原液と液化石油ガスに溶解させた。
原液
米サラダ油                                                ６２．９
ホホバ油                                                    ２．０
トリ（カプリル酸／カプリン酸）グリセリル                  １５．０
モノラウリン酸ジグリセリル                                  ２．０
トリオレイン酸ペンタグリセリル（＊１）                      ２．０
ＰＯＥラウリルエーテル（＊２）                              １．０
１．３−ブチレングリコール                                  ５．０
水                                                        １０．０
香料                                                        ０．１        
１００．０（質量％）
＊１：サンソフトＡ−１７３Ｅ（商品名）、太陽化学株式会社製
＊２：ＮＩＫＫＯＬ  ＢＬ−２１（商品名）、日光ケミカルズ株式会社製
なお、上記クレンジング剤において、上記評価方法であるフォーム状態、フォーム保持状態、不燃性について評価したところ、いずれの評価方法においても好ましい結果であった。
【００８７】
＜処方例２  ヘアートリートメント剤＞
下記の原液を７０ｇアルミニウム製の耐圧容器に充填し、バルブを取り付け、バルブから液化石油ガス（プロパン）を２ｇ充填した。次いでバルブから炭酸ガスを１．５ｇ充填し、容器を振って炭酸ガスを原液と液化石油ガスに溶解させた。
原液
オリーブ油                                                ８４．９
メチルポリシロキサン（＊３）                                ２．０
プロピレングリコール                                        ３．０
塩化ステアリルトリメチルアンモニウム（＊４）                １．０
モノラウリン酸ジグリセリル                                  ３．０
モノオレイン酸ジグリセリル                                  ３．０
精製水                                                      ３．０
香料                                                        ０．１        
１００．０（質量％）
＊３：ＢＹ２２−０２９（商品名）、東レ・ダウコーニング株式会社製
＊４：ＣＡ―２４５０（商品名）、日光ケミカルズ株式会社製
なお、上記ヘアートリートメント剤において、上記評価方法であるフォーム状態、フォーム保持状態、不燃性について評価したところ、いずれの評価方法においても好ましい結果であった。
【００８８】
＜処方例３  ヘアートリートメント剤＞
下記の原液を７３ｇアルミニウム製の耐圧容器に充填し、バルブを取り付け、バルブから液化石油ガス（ノルマルブタン、イソブタンおよびプロパンの混合物：２５℃での蒸気圧が０．５ＭＰａ）を１ｇ充填した。次いでバルブから炭酸ガスを２．０ｇ充填し、容器を振って炭酸ガスを原液と液化石油ガスに溶解させた。
原液
オリーブ油                                                ２９．９
マカデミアナッツ油                                        １５．０
トリ（カプリル酸／カプリン酸）グリセリル                  ３５．０
トリイソステアリン酸グリセリル（＊５）                    １０．０
プロピレングリコール                                        ３．０
塩化ステアリルトリメチルアンモニウム（＊４）                １．０
モノラウリン酸ジグリセリル                                  ３．０
モノオレイン酸ジグリセリル                                  ３．０
香料                                                        ０．１        
１００．０（質量％）
＊５：ＴＩＳＧ（商品名）、高級アルコール工業株式会社製
なお、上記ヘアートリートメント剤において、上記評価方法であるフォーム状態、フォーム保持状態、不燃性について評価したところ、いずれの評価方法においても好ましい結果であった。
【００８９】
＜処方例４  潤滑剤＞
下記の原液を７３ｇアルミニウム製の耐圧容器に充填し、バルブを取り付け、バルブから液化石油ガス（プロパン）を１ｇ充填した。次いでバルブから炭酸ガスを２．０ｇ充填し、容器を振って炭酸ガスを原液と液化石油ガスに溶解させた。
原液
流動パラフィン（＊６）                                    ３９．０
イソヘキサン                                              １５．０
ミリスチン酸イソプロピル（＊７）                          ３５．０
（ベヘン酸／エイコサン二酸）グリセリル（＊８）              １．０
モノラウリン酸ジグリセリル                                  ５．０
モノオレイン酸ジグリセリル                                  ５．０        
１００．０（質量％）
＊６：ハイコールK−２３０（商品名）、カネダ株式会社
＊７：IPM（商品名）、日光ケミカルズ株式会社製
＊８：ノムコート  HK−G（商品名）、日清オイリオグループ株式会社製
なお、上記潤滑剤において、上記評価方法であるフォーム状態、フォーム保持状態、不燃性について評価したところ、いずれの評価方法においても好ましい結果であった。
【符号の説明】
【００９０】
Ａ・・・吐出部材
１・・・マウンティングカップ
２・・・ハウジング
２１・・液体導入孔
２３・・気体導入孔
３・・・ステム孔
４・・・ステム
５・・・ステムラバー
６・・・スプリング
７・・・吐出ボタン
８・・・吐出ノズル
８１・・吐出孔
８２・・気体導入孔
【図１】
2014062208.tif 000006
【図２】
2014062208.tif 000007